【手続補正書】
【提出日】平成26年5月9日(2014.5.9)
【手続補正１】
【補正対象書類名】特許請求の範囲
【補正対象項目名】全文
【補正方法】変更
【補正の内容】
【特許請求の範囲】
【請求項１】
印刷装置と外部装置とを含む印刷システムであって、
前記印刷装置は、
所定のページ記述言語で記述された印刷データを解析する解析手段と、
前記所定のページ記述言語とは異なるページ記述言語で記述された印刷データを取得する取得手段と、
前記取得された印刷データを前記外部装置に送信する送信手段と、
前記外部装置から印刷データを受信する受信手段と、
を有し、
前記外部装置は、
前記異なるページ記述言語で記述された印刷データを解析する外部解析手段
を有し、
前記外部装置の外部解析手段は、前記印刷装置の前記送信手段から送信された前記印刷データを解析し、当該印刷データを前記所定のページ記述言語で記述された印刷データに変換し、当該変換された印刷データを前記印刷装置の前記受信手段に送信し、
前記印刷装置の前記受信手段は、前記外部装置から前記変換された印刷データを受信し、
前記印刷装置の前記解析手段は、前記受信された前記変換された印刷データを解析する
ことを特徴とする印刷システム。
【請求項２】
前記印刷装置は、
前記送信手段によって前記取得された印刷データが送信されるか否かを、当該印刷データの一部を解析することで判定する判定手段と、
前記判定手段の判定結果に応じて、前記送信手段による前記取得された印刷データの送信を制御する制御手段と、
を有することを特徴とする請求項１に記載の印刷システム。
【請求項３】
前記判定手段は、前記取得された印刷データの一部を解析した結果、当該印刷データを記述するページ記述言語が前記所定のページ記述言語であると判定されない場合に、前記取得された印刷データが前記送信手段によって送信されると判定し、
前記制御手段は、前記取得された印刷データが前記送信手段によって送信されると判定された場合に、当該印刷データが前記送信手段によって送信されるように制御することを特徴とする請求項２に記載の印刷システム。
【請求項４】
前記制御手段は、前記取得された印刷データが前記送信手段によって送信されると判定されなかった場合に、当該印刷データが前記送信手段によって送信されないように制御し、当該送信されなかった印刷データが前記解析手段によって解析されるように制御することを特徴とする請求項３に記載の印刷システム。
【請求項５】
前記印刷装置は、前記取得手段によって取得される印刷データを記憶するＵＳＢメモリに接続する接続手段を更に有し、
前記ＵＳＢメモリに記憶された前記印刷データの一部が、前記判定手段によって解析されることを特徴とする請求項２乃至４の何れか１項に記載の印刷システム。
【請求項６】
前記印刷装置は、前記解析手段によって印刷データが解析された結果に基づいて、画像の印刷を行う印刷手段を更に有することを特徴とする請求項１乃至５の何れか１項に記載の印刷システム。
【請求項７】
前記所定のページ記述言語は、所定の複数種類のページ記述言語であることを特徴とする請求項１乃至６の何れか１項に記載の印刷システム。
【請求項８】
前記異なるページ記述言語は、前記解析手段がサポートしていないページ記述言語であることを特徴とする請求項１乃至７の何れか１項に記載の印刷システム。
【請求項９】
ページ記述言語を前記解析手段がサポートしているとは、当該ページ記述言語を解析するために用いられるプログラムを前記解析手段が備えていることであり、
ページ記述言語を前記解析手段がサポートしていないとは、当該ページ記述言語を解析するために用いられるプログラムを前記解析手段が備えていないことであることを特徴とする請求項８に記載の印刷システム。
【請求項１０】
所定のページ記述言語で記述された印刷データを解析する解析手段と、
前記所定のページ記述言語とは異なるページ記述言語で記述された印刷データを取得する取得手段と、
前記取得された印刷データを外部装置に送信する送信手段と、
前記送信された印刷データから前記外部装置によって変換された前記所定のページ記述言語で記述された印刷データを受信する受信手段と、
を有し、
前記解析手段は、前記受信された印刷データを解析することを特徴とする印刷装置。
【請求項１１】
前記送信手段によって前記取得された印刷データが送信されるか否かを、当該印刷データの一部を解析することで判定する判定手段と、
前記判定手段の判定結果に応じて、前記送信手段による前記取得された印刷データの送信を制御する制御手段と、
を更に有することを特徴とする請求項１０に記載の印刷装置。
【請求項１２】
前記判定手段は、前記取得された印刷データの一部を解析した結果、当該印刷データを記述するページ記述言語が前記所定のページ記述言語であると判定されない場合に、前記取得された印刷データが前記送信手段によって送信されると判定し、
前記制御手段は、前記取得された印刷データが前記送信手段によって送信されると判定された場合に、当該印刷データが前記送信手段によって送信されるように制御することを特徴とする請求項１１に記載の印刷装置。
【請求項１３】
前記制御手段は、前記取得された印刷データが前記送信手段によって送信されると判定されなかった場合に、当該印刷データが前記送信手段によって送信されないように制御し、当該送信されなかった印刷データが前記解析手段によって解析されるように制御することを特徴とする請求項１２に記載の印刷装置。
【請求項１４】
前記取得手段によって取得される印刷データを記憶するＵＳＢメモリに接続する接続手段を更に有し、
前記ＵＳＢメモリに記憶された前記印刷データの一部が前記判定手段によって解析されることを特徴とする請求項１１乃至１３の何れか１項に記載の印刷装置。
【請求項１５】
前記解析手段によって印刷データが解析された結果に基づいて、画像の印刷を行う印刷手段を更に有することを特徴とする請求項１０乃至１４の何れか１項に記載の印刷装置。
【請求項１６】
前記所定のページ記述言語は、所定の複数種類のページ記述言語であることを特徴とする請求項１０乃至１５の何れか１項に記載の印刷装置。
【請求項１７】
前記異なるページ記述言語は、前記解析手段がサポートしていないページ記述言語であることを特徴とする請求項１０乃至１６の何れか１項に記載の印刷装置。
【請求項１８】
ページ記述言語を前記解析手段がサポートしているとは、当該ページ記述言語を解析するために用いられるプログラムを前記解析手段が備えていることであり、
ページ記述言語を前記解析手段がサポートしていないとは、当該ページ記述言語を解析するために用いられるプログラムを前記解析手段が備えていないことであることを特徴とする請求項１７に記載の印刷装置。
【請求項１９】
所定のページ記述言語で記述された印刷データを解析する解析手段を有する印刷装置の制御方法であって、
前記所定のページ記述言語とは異なるページ記述言語で記述された印刷データを取得する取得工程と、
前記取得された印刷データを外部装置に送信する送信工程と、
前記送信された印刷データから前記外部装置によって変換された前記所定のページ記述言語で記述された印刷データを受信する受信工程と、
を有し、
前記解析手段は、前記受信された印刷データを解析することを特徴とする印刷装置の制御方法。
【請求項２０】
請求項１０乃至１８の何れか１項に記載の印刷装置の各手段としてコンピュータを機能させるためのプログラム。
【手続補正２】
【補正対象書類名】明細書
【補正対象項目名】発明の名称
【補正方法】変更
【補正の内容】
【発明の名称】印刷システム、印刷装置およびその制御方法、並びにプログラム
【手続補正３】
【補正対象書類名】明細書
【補正対象項目名】０００６
【補正方法】変更
【補正の内容】
【０００６】
上記課題を解決するために本願発明の印刷システムは以下の構成を有する。すなわち、印刷装置と外部装置とを含む印刷システムであって、前記印刷装置は、所定のページ記述言語で記述された印刷データを解析する解析手段と、前記所定のページ記述言語とは異なるページ記述言語で記述された印刷データを取得する取得手段と、前記取得された印刷データを前記外部装置に送信する送信手段と、前記外部装置から印刷データを受信する受信手段と、を有し、前記外部装置は、前記異なるページ記述言語で記述された印刷データを解析する外部解析手段を有し、前記外部装置の外部解析手段は、前記印刷装置の前記送信手段から送信された前記印刷データを解析し、当該印刷データを前記所定のページ記述言語で記述された印刷データに変換し、当該変換された印刷データを前記印刷装置の前記受信手段に送信し、前記印刷装置の前記受信手段は、前記外部装置から前記変換された印刷データを受信し、前記印刷装置の前記解析手段は、前記受信された前記変換された印刷データを解析する。
【手続補正４】
【補正対象書類名】明細書
【補正対象項目名】０００７
【補正方法】変更
【補正の内容】
【０００７】
また、本願発明の別の形態として、本発明の印刷装置は、以下の構成を有する。すなわち、印刷装置であって、所定のページ記述言語で記述された印刷データを解析する解析手段と、前記所定のページ記述言語とは異なるページ記述言語で記述された印刷データを取得する取得手段と、前記取得された印刷データを外部装置に送信する送信手段と、前記送信された印刷データから前記外部装置によって変換された前記所定のページ記述言語で記述された印刷データを受信する受信手段と、を有し、前記解析手段は、前記受信された印刷データを解析する。